(57)【特許請求の範囲】
【請求項１】
操作子の示す値が、設定値に反映される通常状態と、操作子の示す値が、設定値に反映されないロック状態とがあり、
前記ロック状態を解除する際に、設定値と、その時点における操作子の示す値とが異なっている場合は、その旨を示す表示画面が表示され、設定値と、その時点における操作子の示す値とが等しい場合は、前記表示画面が表示されないことを特徴とする音響機器のロック解除方法。
【請求項２】
前記ロック状態における前記設定値は、前記ロック状態に設定された時における前記操作子の示す値であることを特徴とする請求項１に記載の音響機器のロック解除方法。
【請求項３】
前記表示画面が表示されている時に、前記操作子の示す値が前記設定値に合わせられた場合に、前記ロック状態を解除することを特徴とする請求項２に記載の音響機器のロック解除方法。
【請求項４】
前記操作子は、物理操作子であり、前記ロック状態において、前記操作子が操作された場合は、当該操作子の操作状態を模した模擬操作子を前記表示画面に表示することにより、前記設定値と、その時点における前記操作子の示す値とが異なっていることが表示されることを特徴とする請求項１に記載の音響機器のロック解除方法。
【請求項５】
前記操作子は、複数設けられていることを特徴とする請求項４に記載の音響機器のロック解除方法。
【発明の詳細な説明】
【技術分野】
【０００１】
この発明は、パネルロックをロック解除する時に、操作子が示す値が、設定値からずれていることを容易に認識することのできるロック解除方法に関する。
【背景技術】
【０００２】
従来のパワーアンプは、パネルにアッテネータの操作子を含む複数の操作子が設けられており、パワーアンプを設置した時には設置場所や使用環境に好適な設定が行われている。設定が行われた後において、担当者以外が、パネルの操作子を操作すると、好適な設定が変更されて支障が発生する恐れがある。そこで、操作子の操作を担当者以外が行えないように、パネルの前面をカバーで覆うことが行われていた。また、デジタルのパワーアンプにおいては、操作子を誤って操作しないようにパネルの操作をできなくするパネルロック機能が備えられているパワーアンプがある（非特許文献１参照）。
【先行技術文献】
【非特許文献】
【０００３】
【非特許文献１】ヤマハ株式会社  POWER AMPLIFIER TX6n/TX5n/TX4n リファレンスマニュアル［online］, ［平成２８年  ２月２１日検索］，インターネット<http://download.yamaha.com/api/asset/file?language=ja&site=countrysite-master.prod.exp.yamaha.com&asset_id=48589>
【発明の概要】
【発明が解決しようとする課題】
【０００４】
非特許文献１におけるパワーアンプのパネルロックは、パネルロックがロック状態の時に、［HOME］ボタンと［EXIT］ボタンを３秒以上同時に押す特殊操作を行うことで、一時的にロック状態を解除することができる。そして、このパネルロックを解除した状態でPanelをNormalに設定することにより、パネルロックを無効にすることができる。また、パネルロックがロック状態の時には、操作子を操作しても、その操作子に割り当てられたパラメータ値は変更されず、音量レベルを調整する操作子としてロータリーエンコーダーが用いられていた。このため、ロック状態の時にロータリーエンコーダーが操作されていても、ロック状態が解除された時に、音量レベルが変更されることはなかった。
しかしながら、音量レベルを調整する操作子として操作位置が音量レベルに対応するボリュームを用いる場合があり、ロック状態の時にボリュームを操作していると、ロック状態が解除された時に、ボリュームの操作位置に応じた音量レベルに変更されてしまうことになる。この場合、パネルロックをロック解除する際に、使用状況に応じて、変更後の操作子の値をそのまま反映したい場合と、操作子の値を設定値の値に戻してから操作を有効にしたい場合とがあった。
【０００５】
そこで、本発明は、操作子が示す値が、設定値からずれていることを容易に認識することのできるロック解除方法を提供することを目的としている。
【課題を解決するための手段】
【０００６】
上記目的を達成するために、本発明の音響機器のロック解除方法は、操作子の示す値が、設定値に反映される通常状態と、操作子の示す値が、設定値に反映されないロック状態とがあり、前記ロック状態を解除する際に、設定値と、その時点における操作子の示す値とが異なっている場合は、その旨を示す表示画面が表示され、設定値と、その時点における操作子の示す値とが等しい場合は、前記表示画面が表示されないことを最も主要な特徴としている。
本発明は、上記のように方法として実施する他、システム、装置等、任意の態様で実施することができる。
【発明の効果】
【０００７】
本発明のロック解除方法では、ロック状態を解除する際に、設定値と、操作子が示す値とが異なっている場合は、その旨を示す表示画面が表示され、設定値と、操作子が示す値とが等しい場合は、表示画面が表示されないようになる。これにより、操作子の示す値が、設定値からずれていることを視覚的に認識できる。また、操作子の示す値を設定値に合わすよう操作子を操作することで、その表示が消えるため、操作しやすくなる。そして、ロック状態の時に設定値を急遽変更したい場合であっても、設定値と、操作子が示す値とが等しい場合に、ロック状態を解除することができることから、ロック状態を迅速に解除して、設定値を変更することができる。
【図面の簡単な説明】
【０００８】
【図１】本発明のロック解除方法を実施できるパワーアンプの構成を示す機能ブロック図である。
【図２】本発明のロック解除方法を実施できるパワーアンプの操作パネルの構成を示す図である。
【図３】本発明のロック解除方法を実施できるパワーアンプにおいて、パネルロックをロック状態に設定する手順を示す図である。
【図４】本発明のロック解除方法を実施できるパワーアンプにおいて、パネルロックをロック解除する手順を示す図である。
【図５】本発明のロック解除方法を実施できるパワーアンプにおいて実行されるパネルロック処理のフローチャートである。
【図６】本発明のロック解除方法を実施できるパワーアンプにおいて実行される他のパネルロック処理のフローチャートである。
【図７】本発明のロック解除方法を実施できるパワーアンプにおいて実行されるさらに他のパネルロック処理のフローチャートである。
【発明を実施するための形態】
【０００９】
以下、本発明を実施するための形態を図面に基づいて具体的に説明する。
まず、図１に、本発明のロック解除方法を実施できるパワーアンプ１の構成を示す機能ブロック図を示す。
図１に示すパワーアンプ１はＡｃｈとＢｃｈとの２ｃｈを有し、ＣＰＵ（Central Processing Unit）１０、フラッシュメモリ１１、ＲＡＭ（Random Access Memory）１２、その他Ｉ／Ｏ１３、操作子１４、表示器１５と、波形入力部２０、デジタル信号処理部２１、D/A・A/D部２２、アナログ電力増幅部２３とを備え、これらをバス２４により接続している。上記したデジタル信号処理部２１をＤＳＰ（Digital Signal Processor）で構成することができる。
【００１０】
このうちＣＰＵ１０は、パワーアンプ１の動作を統括制御する制御手段であり、フラッシュメモリ１１に記憶された制御プログラムを実行することにより、操作子１４の操作に従ったパラメータの編集や表示器１５における表示の制御、パネルロックのロック状態／ロック解除の制御といった処理を行う。フラッシュメモリ１１は、ＣＰＵ１０が実行する制御プログラムや、コンフィグデータおよびスピーカに対応するＳＰプリセット等を記憶する書き換え可能な不揮発性記憶手段である。なお、コンフィグデータは、入力部から出力部までの音信号の経路と、その経路における信号処理とを規定する。ＲＡＭ１２は、ＣＰＵ１０が各種のデータを書き込み及び読み出しする揮発性記憶手段であり、ＣＰＵ１０のワークメモリ、デジタル信号処理部２１に現在設定されている設定値である現在メモリ値を記憶するカレントメモリとしても使用される。その他Ｉ／Ｏ１３は、種々の外部機器を接続して通信を行うためのインタフェースである。その他Ｉ／Ｏ１３における通信に用いる規格は、イーサネット（商標）、ＵＳＢ（Universal Serial Bus）等、任意のものを採用することができ、有線無線も問わない。表示器１５は、ＣＰＵ１０の制御に従って種々の情報を表示する表示手段であり、例えば液晶パネル（ＬＣＤ）や発光ダイオード（ＬＥＤ）によって構成できる。
【００１１】
音信号の入力部から出力部までの経路の構成について説明すると、波形入力部２０は、外部ソース２からアナログのＡｃｈとＢｃｈの音信号を受け取ることができ、それぞれ、デジタルの音信号に変換してデジタル信号処理部２１へ供給する。デジタル信号処理部２１は、そのデジタルの各音信号に対し、クロスオーバー処理、ディレイ処理、イコライザ処理、リミッタ処理、ダイナミクス処理などの信号処理を施し、処理済みの音信号をD/A・A/D部２２へ出力する。D/A・A/D部２２は、デジタルの各音信号をアナログの音信号に変換し、アナログ電力増幅部２３に供給する。アナログ電力増幅部２３は、アナログの各音信号を電力増幅し、増幅されたＡｃｈとＢｃｈの各音信号をスピーカ端子より外部のスピーカ３へ出力する。
【００１２】
パワーアンプ１の操作パネルの構成を図２に示す。図２に示すように、操作パネルには、ほぼ中央の上側に矩形状とされた表示器１５が、左側の下部に電源スイッチ３１が設けられている。電源スイッチ３１の右側にＡｃｈの音信号の出力レベルを制御するＡｃｈレベルつまみ３０ａと「Ａ」が表記されたＡｃｈ選択ボタン３０ｂとが縦に配置され、その右側にメニューキー（Menu）３０ｃとリターンキー３０ｄが横に並んで配置されている。さらに、その右側にプッシュスイッチ付きのロータリーエンコーダー（以下、「エンコーダー」という）３０ｅが配置されており、このプッシュスイッチは、エンターキーとしての機能を有している。エンコーダー３０ｅの右側にＢｃｈの音信号の出力レベルを制御するＢｃｈレベルつまみ３０ｆと「Ｂ」が表記されたＢｃｈ選択ボタン３０ｇとが縦に配置されている。また、電源スイッチ３１の上側に電源ランプ（POWER）と警告ランプ（ALERT）とが配置され、ＡｃｈとＢｃｈの選択ボタン３０ｂ，３０ｇの上側にＡｃｈとＢｃｈのプロテクトランプ（PL A、PL B）が配置されている。パワーアンプ１には、保護回路が設けられており、保護回路で各ｃｈの出力段の異常が検出された時に、ＣＰＵ１０は、対応するランプPL A、PL Bを点灯する。なお、Ａｃｈレベルつまみ３０ａあるいはＢｃｈレベルつまみ３０ｆを操作すると、その操作量に応じてＡｃｈあるいはＢｃｈの出力レベルがＣＰＵ１０により制御される。図示する表示器１５には基本画面であるホーム画面が表示されており、ホーム画面ではＡｃｈとＢｃｈの現在の出力レベル（Ａｃｈが−１５ｄＢ、Ｂｃｈが−１９ｄＢ）が主に表示されている。
【００１３】
次に、図３（ａ）〜（ｆ）にパワーアンプ１のパネル操作をロックするパネルロックをロック状態／ロック解除に設定する手順を示す。各図においては、パワーアンプ１のパネルの一部が示されている。
パネルロックのロック状態／ロック解除を設定するには、まず、図３（ａ）に示すようにホーム画面が表示器１５に表示されている状態において、ユーザがメニューキー（Menu）３０ｃを押す。これにより、ＣＰＵ１０は、図３（ｂ）に示すメニュー画面を表示器１５に表示する。このメニュー画面では用意された複数のメニューのいずれか１つを選択することができ、ここでは、図示するように［UTILITY］をユーザが選択する。この場合、選択された［UTILITY］は白抜きを反転した表示となる。次いで、ユーザがエンコーダー３０ｅをプッシュする。これにより、［UTILITY］の選択が確定され、ＣＰＵ１０は、図３（ｃ）に示すUTILITY画面を表示器１５に表示する。
【００１４】
このUTILITY画面では、用意されている複数のユーティリティのいずれか１つを選択することができ、図示するように［PANEL LOCK］をユーザが選択すると［PANEL LOCK］は白抜きを反転した表示となる。次いで、ユーザはエンコーダー３０ｅをプッシュすると、［PANEL LOCK］の選択が確定される。これにより、ＣＰＵ１０は、図３（ｄ）に示すPANEL LOCK画面を表示器１５に表示する。このPANEL LOCK画面では、パネルロックの状態とPIN CODEが表示されるが、この場合はパネルロックがロック解除の状態とされていることから、図示するように［PANEL LOCK OFF］と表示される。ここで、ユーザが図示するように［PANEL LOCK OFF］を選択すると［PANEL LOCK OFF］は白抜きを反転した表示となる。次いで、ユーザがエンコーダー３０ｅをプッシュすると、ＣＰＵ１０は、表示器１５に表示されたPANEL LOCK画面の前面に図３（ｅ）に示すダイアログＤ１のウィンドウを表示する。このダイアログＤ１のウィンドウでは、図示していないがロック解除する［OFF］と、表示器１５に表示されるパラメータ値およびパネルに設けられた操作子をロック状態とする［ALL］とが少なくとも選択可能とされる。ロック状態としたい場合は、ユーザはエンコーダー３０ｅを回して図示するように［ALL］を選択する。［ALL］は白抜きを反転した表示となる。次いで、ユーザはエンコーダー３０ｅをプッシュして［ALL］の選択を確定させる。これにより、ＣＰＵ１０は、パワーアンプ１の表示器１５のパラメータの表示値およびパネルに設けられている全ての操作子をロック状態として、図３（ｆ）に示すホーム画面を表示器１５に表示する。
ロック状態とされたパネルの操作子は、操作できるものの操作しても当該操作子に割り当てられているパラメータの値は変更されず、表示器１５に表示されている表示値も変化しない。すなわち、ロック状態では、カレントメモリ上のパラメータの設定値には、当該操作子の位置および操作量に応じた値が反映されないことになる。
【００１５】
次に、パネルロックがロック状態の際に、パネルに設けられている操作子のいずれかが操作されると、パネルロックのロック解除の手順が開始されるようになる。このロック解除の手順を図４（ａ）〜（ｇ）に示す。図４（ａ）〜（ｇ）においては、パワーアンプ１のパネルの一部が示されている。
パワーアンプ１のパネルに設けられている操作子のいずれかが操作されると、ＣＰＵ１０は、表示器１５に表示されたホーム画面の前面に図４（ａ）に示すダイアログＤ２のウィンドウを開く。この場合、Ａｃｈレベルつまみ３０ａが操作され、Ａｃｈレベルつまみ３０ａが右回転された操作後の位置になっている。このダイアログＤ２のウィンドウでは、エンコーダー３０ｅを回すことによりロック状態を維持（CANCEL）、ロック解除（PARMANENTLY）、一時ロック解除（TEMPORARILY）の何れかを選択することができ、ここで、ユーザが［OK］を選択してエンコーダー３０ｅをプッシュすると、ロック解除（PARMANENTLY）の選択が確定されて、ＣＰＵ１０は、表示器１５に表示されたホーム画面の前面に図４（ｂ）および図４（ｄ）に示すダイアログＤ３のウィンドウを表示する。このダイアログＤ３のウィンドウでは、エンコーダー３０ｅを回すことによりロック状態を維持する［CANCEL］と、その時点における変更後の操作子の値を、当該操作子に割り当てられたパラメータのパラメータ値にそのまま反映させる［KNOB］と、操作子に割り当てられたパラメータにおける現在メモリ値（ロック状態にされた時のカレントメモリ上の当該パラメータの設定値）に、操作された操作子の値を戻してから操作子の操作を有効にする［CUR…］とのいずれかを選択することができる。
【００１６】
ここで、ユーザがエンコーダー３０ｅを回して図４（ｂ）に示すようにダイアログＤ３で［KNOB］を選択すると［KNOB］は白抜きを反転した表示となる。次いで、ユーザがエンコーダー３０ｅをプッシュすると［KNOB］の選択が確定され、これにより、ＣＰＵ１０は、ロック状態を解除し、操作子の操作後の値でカレントメモリを書き替えることにより、当該操作子に割り当てられたパラメータの現在メモリ値を更新して、図４（ｃ）に示すホーム画面を表示器１５に表示する。この場合、Ａｃｈレベルつまみ３０ａが操作されていることから、操作後のＡｃｈレベルつまみ３０ａが示す値に、カレントメモリにおけるＡｃｈのレベルのパラメータ値が書き替えられ、当該パラメータ値でデジタル信号処理部２１が信号処理を行う。この信号処理を行う際に、当該パラメータ値を、徐々に操作後のＡｃｈレベルつまみ３０ａの値に近づけていくことが好適とされる。また、ホーム画面において、Ａｃｈの現在の出力レベルが−∞ｄＢから−３５ｄＢ（操作後のＡｃｈレベルつまみ３０ａが示す値）の表示に更新される。なお、ロック解除されると、ユーザがＡｃｈレベルつまみ３０ａ，Ｂｃｈレベルつまみ３０ｆを回転操作することで、Ａｃｈ，Ｂｃｈの音量のレベルを調整できるようになる。
【００１７】
また、ユーザがエンコーダー３０ｅを回して図４（ｄ）に示すようにダイアログＤ３で［CUR…］を選択すると［CUR…］は白抜きを反転した表示となる。次いで、ユーザがエンコーダー３０ｅをプッシュすると［CUR…］の選択が確定され、これにより、ＣＰＵ１０は、表示器１５に表示されたホーム画面の前面に、図４（ｅ）に示すＡｃｈレベルつまみ３０ａおよびＢｃｈレベルつまみ３０ｆの操作子を模すと共に、その操作位置を模した模擬操作子が表示されるダイアログＤ４のウィンドウを開く。このダイアログＤ４では、カレントメモリにおけるＡｃｈ，Ｂｃｈのレベルの現在メモリ値が、模擬操作子の近傍に白丸で示される。現在メモリ値は、ロック状態にされた時点におけるＡｃｈレベルつまみ３０ａおよびＢｃｈレベルつまみ３０ｆで設定されていたパラメータ値となる。ここで、Ａｃｈレベルつまみ３０ａは操作されたが、Ｂｃｈレベルつまみ３０ｆは操作されていないことから、Ｂｃｈレベルつまみ３０ｆの値と、Ｂｃｈのレベルの現在メモリ値とは等しく、Ｂｃｈの模擬操作子の近傍にその旨を示す［OK］の表示がされる。ここで、ユーザがＢｃｈレベルつまみ３０ｆを右回転する操作を行うと、ＣＰＵ１０は、図４（ｆ）に示すように操作後のＢｃｈレベルつまみ３０ｆの位置を右回転させ、Ｂｃｈの模擬操作子に反映させると共に、Ｂｃｈレベルつまみ３０ｆの値が、Ｂｃｈのレベルの現在メモリ値からずれるので、Ｂｃｈの模擬操作子の近傍に表示した［OK］は消去される。
【００１８】
また、ユーザがＡｃｈレベルつまみ３０ａ，Ｂｃｈレベルつまみ３０ｆを回転操作して、Ａｃｈ，Ｂｃｈの模擬操作子を表示された白丸に合わせると、ＣＰＵ１０は、Ａｃｈレベルつまみ３０ａおよびＢｃｈレベルつまみ３０ｆの値が、ＡｃｈおよびＢｃｈのレベルの現在メモリ値に等しくなったと判断して、ロック状態を解除し図４（ｇ）に示すホーム画面を表示器１５に表示する。ホーム画面ではＡｃｈとＢｃｈの現在の出力レベルが、ロック状態にされた時点と同じ−∞ｄＢと表示される。ロック解除されると、ユーザがＡｃｈレベルつまみ３０ａ，Ｂｃｈレベルつまみ３０ｆを回転操作することで、Ａｃｈ，Ｂｃｈの音量のレベルを調整できるようになる。
【００１９】
以上の説明では、Ａｃｈレベルつまみ３０ａが操作されて、パネルロックのロック解除の手順が開始されることを説明したが、Ａｃｈレベルつまみ３０ａおよびＢｃｈレベルつまみ３０ｆを除くパネルの操作子を操作した時にもパネルロックのロック解除の手順が開始される。この場合は、Ａｃｈレベルつまみ３０ａおよびＢｃｈレベルつまみ３０ｆの操作子が示す値が、当該操作子のカレントメモリ上の現在メモリ値と一致していることになるから、ユーザが図４（ｄ）に示すようにダイアログＤ３で［CUR…］を選択した場合は、ダイアログＤ４が開くことなくロック解除されて、図４（ｆ）に示すホーム画面が表示される。また、ユーザが図４（ｂ）に示すようにダイアログＤ３で［KNOB］を選択した場合は、カレントメモリ上の現在メモリ値が更新されることなくロック解除されて、図４（ｃ）に示すホーム画面が表示される。さらに、ホーム画面におけるＡｃｈとＢｃｈの現在の出力レベルも更新されない。
【００２０】
次に、ＣＰＵ１０が実行するパネルロック処理のフローチャートを図５に示す。このパネルロック処理は、図３（ｂ）に示すUTILITY画面で［PANEL LOCK］の選択が確定された時にスタートし、ステップＳ１０にて、ＣＰＵ１０は、設定画面とされる図３（ｄ）に示すPANEL LOCK画面を表示器１５に表示する。次いで、ステップＳ１１にて図３（ｄ）（ｅ）で示す上記した手順を行うことにより、パネルロックはロック状態に変更され、設定画面が閉じられて図３（ｆ）に示すホーム画面が表示される。次いで、ステップＳ１２にてパワーアンプ１のパネルに設けられている操作子が操作されて、その状態が変化されたか否かをＣＰＵ１０が検出する。ＣＰＵ１０が上記操作子の状態が変化したことを検出しない（Ｎｏ）場合は、ステップＳ１２の処理が繰り返し行われ、ＣＰＵ１０が上記操作子の状態が変化したことを検出する（Ｙｅｓ）と、ステップＳ１３に進む。ステップＳ１３では、ＣＰＵ１０は、図４（ａ）に示すダイアログＤ２のウィンドウを開く。ダイアログＤ２のウィンドウにおいて、ユーザがエンコーダー３０ｅを回すことにより［OK］を選択してエンコーダー３０ｅをプッシュすると、ロック解除（PARMANENTLY）の選択が確定し、ＣＰＵ１０は、図４（ｂ）または図４（ｄ）に示すダイアログＤ３のウィンドウを開く。ダイアログＤ３のウィンドウにおいては、［CANCEL］［CUR…］［KNOB］とのいずれかを使用状況に応じて選択することができ、ユーザが［CANCEL］を選択するとステップＳ１２に戻り、ロック状態を維持するようになる。また、ユーザが［KNOB］を選択すると、その時点における変更後の操作子の値がそのままパラメータ値に反映されて、ステップＳ１５に進む。この場合、カレントメモリ上の当該パラメータのパラメータ値が変更後の操作子の値で書き替えられ、当該パラメータ値でデジタル信号処理部２１が信号処理を行う。ステップＳ１５で、ＣＰＵ１０は、パネルロックのロック状態を解除し、解除方法を選択するダイアログＤ３のウィンドウを閉じて図４（ｃ）に示すホーム画面を表示器１５に表示する。これにより、パネルロック処理は終了する。この場合、ロック解除されていることからユーザがＡｃｈレベルつまみ３０ａ，Ｂｃｈレベルつまみ３０ｆを回転操作することで、Ａｃｈ，Ｂｃｈの音量レベルを調整できるようになる。
【００２１】
さらに、ステップＳ１４でユーザが［CUR…］を選択すると、ＣＰＵ１０は、現在メモリ値に操作子の値を戻した時に操作子の操作が有効になるように、ステップＳ１７に分岐する。ステップＳ１７で、ＣＰＵ１０は、図４（ｅ）に示すＡｃｈレベルつまみ３０ａおよびＢｃｈレベルつまみ３０ｆの操作子を模すと共に、その操作位置を模した模擬操作子を表示するダイアログＤ４のウィンドウを開きステップＳ１８に進む。ここで、Ａｃｈレベルつまみ３０ａまたはＢｃｈレベルつまみ３０ｆを回転操作すると、ステップＳ１８にて、ＣＰＵ１０は、ダイアログＤ４における模擬操作子を、その回転操作内容に応じて回転して表示する。次いで、ステップＳ１９にて、ＣＰＵ１０は、Ａｃｈレベルつまみ３０ａおよびＢｃｈレベルつまみ３０ｆのその時点における回転位置の値と、現在メモリ値とが等しいか否かを判断する。ＣＰＵ１０が、Ａｃｈレベルつまみ３０ａおよびＢｃｈレベルつまみ３０ｆのその時点における回転位置の値と、現在メモリ値とが等しいと判断するまで、ステップＳ１８，ステップＳ１９の処理が繰り返し行われ、ＣＰＵ１０が回転位置の値と現在メモリ値とが等しいと判断すると、ステップＳ２０に進む。ステップＳ２０で、ＣＰＵ１０は、パネルロックのロック状態を解除し、解除方法を選択するダイアログＤ３のウィンドウを閉じて図４（ｇ）に示すホーム画面を表示器１５に表示する。これにより、パネルロック処理は終了する。この場合、ロック解除されていることからユーザがＡｃｈレベルつまみ３０ａ，Ｂｃｈレベルつまみ３０ｆを回転操作することで、Ａｃｈ，Ｂｃｈの音量レベルを調整できるようになる。
【００２２】
次に、ＣＰＵ１０が実行する他のパネルロック処理のフローチャートを図６に示す。
図６に示すパネルロック処理におけるステップＳ１０ないしステップＳ１２の処理は上記した通りであるので、その説明は省略するが、ステップＳ１２にてＣＰＵ１０が上記操作子の状態が変化したことを検出する（Ｙｅｓ）と、ステップＳ３０に進む。ステップＳ３０で、ＣＰＵ１０は、パスワードを入力するダイアログを表示し、ユーザにパスワードを入力させる。ユーザがパスワードを入力すると、ステップＳ１３で、ＣＰＵ１０は、入力されたパスワードが正しく入力されたか否かを判断する。ここで、ＣＰＵ１０が、正しいパスワードが入力されていないと判断（Ｎｏ）した場合は、ＣＰＵ１０は、パスワードが正しくない旨のダイアログを表示して正しいパスワードが入力されるまでステップＳ３１の処理を繰り返し行う。ステップＳ３１で、ＣＰＵ１０が、正しいパスワードが入力されたと判断（Ｙｅｓ）した場合は、ステップＳ１３に進む。ステップＳ１３ないしステップＳ２０の処理は上記した通りであるので、その説明は省略する。
図６に示す他のパネルロック処理は、パスワード入力処理を行うステップＳ３０，ステップＳ３１を備えていることから、セキュリティを高めて担当者以外がロック解除できないようにすることができる。
【００２３】
次に、ＣＰＵ１０が実行するさらに他のパネルロック処理のフローチャートを図７に示す。
図７に示すパネルロック処理におけるステップＳ１０ないしステップＳ１２の処理、および、ステップＳ３０，ステップＳ３１の処理は上記した通りであるので、その説明は省略するが、ステップＳ３１で、ＣＰＵ１０が、正しいパスワードが入力されたと判断（Ｙｅｓ）した場合は、ステップＳ１７に進む。ステップＳ１７ないしステップＳ２０の処理は上記した通りであるので、その説明は省略するが、図７に示すさらに他のパネルロック処理では、ステップＳ１４ないしステップＳ１６の処理が省略されて、ロック解除する時には、現在メモリ値に操作子の値を戻した時に操作子の操作が有効になるようにされている。これは、その時点における変更後の操作子の値がそのままパラメータ値に反映されると、急激に音量レベルが変化するおそれがあるからである。さらに他のパネルロック処理では、現在メモリ値に操作子の値を戻した時にロック解除されて、操作子の操作が有効になると共に、パスワード入力処理を行うステップＳ３０，ステップＳ３１を備えていることから、セキュリティを高めて担当者以外がロック解除できないようにすることができる。
【産業上の利用可能性】
【００２４】
以上説明した本発明にかかるロック解除方法においては、２ｃｈのパワーアンプの例を示したが、本発明は２ｃｈ以外の音響機器、例えば、４ｃｈ、８ｃｈ等の音響機器にも適用できる。また、パワーアンプに限るものではなく、本発明のロック解除方法はパワーアンプ以外の音響機器、例えば、スピーカプロセッサや、デジタルミキサの入出力を拡張するステージボックスなどの設定方法にも適用できる。また、本発明にかかるロック解除方法は、パネルロックのロック解除方法としたが、パネルに設けられている表示器の表示や操作子のロックに限るものではなく、パネル以外に設けられている表示器の表示や操作子のロックのロック解除方法に適用することができる。
また、本発明にかかるロック解除方法においては、Ａｃｈレベルつまみ３０ａおよびＢｃｈレベルつまみ３０ｆの操作子が示す値が、当該操作子に対応するカレントメモリ上の現在メモリ値（設定値）とずれている場合には、模擬操作子を表示するダイアログを開くようにしたので、操作子の値が設定値とずれていることが視覚的に把握でき、理解し易くなる。この場合、設定値とずれている操作子を操作して、当該操作子の示す値を設定値に等しくするとロック解除されるので、ロック解除を操作子の操作だけで行うことができ、迅速かつ簡易にロック解除することができる。また、ロック状態において、パネルの操作子のいずれかが操作されると、ロック状態を解除するための方法選択画面が表示され、該方法選択画面において、設定値と、操作子の値とが等しくなった場合に解除する方法と、その時点の操作子の値で設定値を更新してロック解除する方法との１つを少なくとも選択できるようにしたので、使用状況に応じたロック解除を行うことができる。
【符号の説明】
【００２５】
１  パワーアンプ、２  外部ソース、３  スピーカ、１０  ＣＰＵ、１１  フラッシュメモリ、１２  ＲＡＭ、１３  その他Ｉ／Ｏ、１４  操作子、１５  表示器、２０  波形入力部、２１  デジタル信号処理部、２２  D/A・A/D部、２３  アナログ電力増幅部、２４  バス、３０ａ  Ａｃｈレベルつまみ、３０ｂ  Ａｃｈ選択ボタン、３０ｃ  メニューキー、３０ｄ  リターンキー、３０ｅ  ロータリーエンコーダー、３０ｆ  Ｂｃｈレベルつまみ、３０ｇ  Ｂｃｈ選択ボタン、３１  電源スイッチ
【図１】
0006690334.tif 000002
【図２】
0006690334.tif 000003
【図３】
0006690334.tif 000004
【図４】
0006690334.tif 000005
【図５】
0006690334.tif 000006
【図６】
0006690334.tif 000007
【図７】
0006690334.tif 000008